(57)【要約】【課題】紙幣収納カセット自体の盗難を防止することができ、このためセキュリティ性を向上させることができる紙幣処理装置を提供する。【解決手段】紙幣処理装置１０は、筐体１２と、筐体１２から引き出し可能に設けられた紙幣処理ユニット１１と、紙幣処理ユニット１１の内部に着脱自在に装填された紙幣収納カセット３０とを備えている。紙幣処理装置１０には、第１の施錠機構４０と、第２の施錠機構４４、４６とが設けられている。第１の施錠機構４０の開錠が行われたときに紙幣処理ユニット１１が筐体１２から引き出すことができる状態になるとともに繰入機構３４に対する紙幣処理ユニット１１側からの駆動が切断される。第１の施錠機構４０が開錠された状態で第２の施錠機構４４、４６の開錠が行われたときにおいてのみ紙幣収納カセット３０を紙幣処理ユニット１１から分離することができるようになる。【選択図】図３Ｂ
2010020382.tif 000002
【特許請求の範囲】
【請求項１】
筐体と、
前記筐体から引き出し可能に設けられ、外部から紙幣が取り込まれる紙幣処理ユニットと、
前記紙幣処理ユニットの内部に着脱自在に装填され、当該紙幣処理ユニットから送られた紙幣の収納を行う紙幣収納カセットであって、前記紙幣処理ユニット側からの駆動を受けて紙幣を当該紙幣収納カセットの内部に送り込むように構成された繰入機構を有する紙幣収納カセットと、
前記紙幣処理ユニットに設けられ、第１の鍵により開錠および閉錠が行われる第１の施錠機構と、
前記第１の鍵とは異なる第２の鍵により開錠および閉錠が行われる第２の施錠機構と、
を備え、
前記第１の鍵により前記第１の施錠機構の開錠が行われたときに前記紙幣処理ユニットが前記筐体から引き出すことができる状態になるとともに前記繰入機構に対する前記紙幣処理ユニット側からの駆動が切断され、前記第１の施錠機構が開錠された状態で前記第２の鍵により前記第２の施錠機構の開錠が行われたときにおいてのみ前記紙幣収納カセットを前記紙幣処理ユニットから分離することができるようになっていることを特徴とする紙幣処理装置。
【請求項２】
前記第１の鍵により前記第１の施錠機構の開錠が行われたときに前記紙幣収納カセットが前記紙幣処理ユニットから所定量だけ突出し、このことにより前記繰入機構に対する前記紙幣処理ユニット側からの駆動が切断されるようになっていることを特徴とする請求項１記載の紙幣処理装置。
【請求項３】
前記第２の施錠機構は前記紙幣収納カセットに設けられていることを特徴とする請求項１または２記載の紙幣処理装置。
【請求項４】
前記紙幣収納カセットは、前記第２の施錠機構において前記第２の鍵が第１の方向に回されたときに前記紙幣処理ユニットから分離することができ、前記第２の鍵が前記第１の方向とは反対方向である第２の方向に回されたときにこの紙幣収納カセットが開いて当該紙幣収納カセットから紙幣を取り出すことができるよう構成されていることを特徴とする請求項３記載の紙幣処理装置。
【請求項５】
前記紙幣収納カセットに設けられ、前記第１の鍵および前記第２の鍵とは異なる第３の鍵により開錠および閉錠が行われる第３の施錠機構を更に備え、
前記紙幣収納カセットは、前記第３の鍵により前記第３の施錠機構の開錠が行われたときにこの紙幣収納カセットが開いて当該紙幣収納カセットから紙幣を取り出すことができるよう構成されていることを特徴とする請求項３記載の紙幣処理装置。
【請求項６】
前記第２の施錠機構は前記紙幣処理ユニットに設けられていることを特徴とする請求項１または２記載の紙幣処理装置。
【請求項７】
前記紙幣収納カセットに設けられ、前記第１の鍵および前記第２の鍵とは異なる第３の鍵により開錠および閉錠が行われる第３の施錠機構を更に備え、
前記紙幣収納カセットは、前記第３の鍵により前記第３の施錠機構の開錠が行われたときにこの紙幣収納カセットが開いて当該紙幣収納カセットから紙幣を取り出すことができるよう構成されていることを特徴とする請求項６記載の紙幣処理装置。
【発明の詳細な説明】
【技術分野】
【０００１】
本発明は、筐体と、この筐体から引き出し可能に設けられ、外部から紙幣が取り込まれる紙幣処理ユニットと、紙幣処理ユニットの内部に着脱自在に装填され、この紙幣処理ユニットから送られた紙幣の収納を行う紙幣収納カセットとを備えた紙幣処理装置に関する。
【背景技術】
【０００２】
従来より、筐体と、この筐体から引き出し可能に設けられ、外部から紙幣が取り込まれる紙幣処理ユニットとを備えた紙幣入金機、紙幣入出金機等の紙幣処理装置が知られている。このような紙幣処理装置において、紙幣処理ユニットの内部に紙幣収納カセットを着脱自在に装填し、紙幣処理ユニットから紙幣収納カセットに紙幣を送りこの紙幣収納カセットに紙幣を収納させるようになっている。例えば、特許文献１、２等には、紙幣処理ユニットに対し着脱自在な紙幣収納カセットを有する紙幣処理装置が開示されている。
【０００３】
従来の紙幣処理装置においては、紙幣処理ユニットから紙幣収納カセットの抜き取りを行うカセット引出鍵と、筐体から紙幣処理ユニットの引き出しを行うユニット引出鍵とが兼用になっていた。つまり、紙幣処理ユニットには施錠機構が設けられており、引出鍵により施錠機構の開錠が行われたときに、紙幣処理ユニットが筐体から引き出すことができる状態になるとともに、紙幣収納カセットの施錠機構も開錠され紙幣収納カセットが引き抜き可能状態になり、紙幣処理ユニットから僅かに突出するようになっていた。また、引出鍵とは異なるカセット開錠鍵により紙幣収納カセットの蓋体を開き、この紙幣収納カセット内に収納された紙幣を取り出すことができるようになっている。
【０００４】
ここで、引出鍵は通常は現場にいるオペレータが持っておく必要がある。何故ならば、紙幣処理ユニット内で紙幣のジャム等のトラブルが生じた際には、オペレータは引出鍵により紙幣処理ユニットを筐体から引き出して紙幣処理ユニットの内部を確認し、ジャム紙幣の取り除きを行う必要があるからである。また、その開錠により紙幣収納カセットが引き抜き可能状態になり、紙幣処理ユニットから僅かに突出するようになっている理由としては、紙幣収納カセットには、紙幣処理ユニット側からの駆動を受けて紙幣を当該紙幣収納カセットの内部に送り込むように構成された紙幣繰入機構が設けられており、トラブルが生じた際に、オペレータが紙幣処理ユニットを引き出した状態で搬送ベルト等を手動で回した場合に、紙幣収納カセットの入口付近に存在する紙幣が間違って紙幣収納カセット内に入ってしまうといった違算を防止するためである。
【０００５】
ここで、オペレータは通常は引出鍵のみを持っており、現金回収担当者は引出鍵とカセット開錠鍵の両方を持っている場合が多い。これは、オペレータに対しては紙幣収納カセット内に収納された紙幣を取り扱わせないようにすることによって営業時間中におけるオペレータによる紙幣収納カセット内の紙幣の盗難を防止するとともに、現金回収担当者に対しては営業時間外において紙幣収納カセット内に収納された紙幣の回収をスムーズに行わせるようにするためである。
【０００６】
【特許文献１】特開２００４−３０２５０３号公報
【特許文献２】特許第３６０４６０２号
【発明の開示】
【発明が解決しようとする課題】
【０００７】
しかしながら、上述のような従来の紙幣処理装置では、引出鍵さえあれば、カセット開錠鍵がなくとも紙幣処理ユニットから紙幣収納カセットを分離させることができるので、オペレータに悪意があれば、カセット開錠鍵がなくともこのオペレータにより紙幣収納カセットが持ち去られる恐れがあった。また、オペレータが作業効率を向上させるために、紙幣処理ユニットに設けられた施錠機構に引出鍵を差したままの状態にしている場合には、泥棒等の盗難者により紙幣処理ユニットから紙幣収納カセットが分離させられ、カセット開錠鍵がなくとも紙幣収納カセットが持ち去られる恐れがあった。このような持ち去られた紙幣収納カセットは、紙幣処理装置が設置された現場から離れた場所で壊すことにより、紙幣収納カセットをカセット開錠鍵により開けなくとも盗難者等はこの紙幣収納カセットから紙幣を取り出すことができる。このように、従来の紙幣処理装置では、引出鍵さえあれば紙幣収納カセットを紙幣処理装置の設置現場から持ち出すことができるため、セキュリティ性に問題があった。
【０００８】
本発明は、このような点を考慮してなされたものであり、紙幣処理ユニットを筐体から引き出すための鍵（第１の鍵）と、紙幣収納カセットを紙幣処理ユニットから引き出すための鍵（第２の鍵）とを別々のものとし、紙幣収納カセットを紙幣処理装置の設置現場から持ち出すためには、紙幣処理ユニットを筐体から引き出すための第１の鍵に加えて第２の鍵が必要となるので、紙幣収納カセット自体の盗難を防止することができ、このためセキュリティ性を向上させることができる紙幣処理装置を提供することを目的とする。
【課題を解決するための手段】
【０００９】
本発明の紙幣処理装置は、筐体と、前記筐体から引き出し可能に設けられ、外部から紙幣が取り込まれる紙幣処理ユニットと、前記紙幣処理ユニットの内部に着脱自在に装填され、当該紙幣処理ユニットから送られた紙幣の収納を行う紙幣収納カセットであって、前記紙幣処理ユニット側からの駆動を受けて紙幣を当該紙幣収納カセットの内部に送り込むように構成された繰入機構を有する紙幣収納カセットと、前記紙幣処理ユニットに設けられ、第１の鍵により開錠および閉錠が行われる第１の施錠機構と、前記第１の鍵とは異なる第２の鍵により開錠および閉錠が行われる第２の施錠機構と、を備え、前記第１の鍵により前記第１の施錠機構の開錠が行われたときに前記紙幣処理ユニットが前記筐体から引き出すことができる状態になるとともに前記繰入機構に対する前記紙幣処理ユニット側からの駆動が切断され、前記第１の施錠機構が開錠された状態で前記第２の鍵により前記第２の施錠機構の開錠が行われたときにおいてのみ前記紙幣収納カセットを前記紙幣処理ユニットから分離することができるようになっていることを特徴とする。
【００１０】
このような紙幣処理装置によれば、第１の鍵により第１の施錠機構の開錠が行われたときに紙幣処理ユニットが筐体から引き出すことができる状態になるとともに繰入機構に対する紙幣処理ユニット側からの駆動が切断され、第１の施錠機構が開錠された状態で第１の鍵とは異なる第２の鍵により第２の施錠機構の開錠が行われたときにおいてのみ紙幣収納カセットを前記紙幣処理ユニットから分離することができるようになっている。このため、紙幣処理ユニット内で紙幣のジャム等のトラブルが生じた際には、現場のオペレータは第１の鍵により紙幣処理ユニットを筐体から手前側に引き出すことにより紙幣処理ユニットの内部の確認を行うことができるようになる。また、繰入機構に対する紙幣処理ユニット側からの駆動が切断されることにより紙幣収納カセットに紙幣が収納されることを抑止することができるようになる。一方、紙幣収納カセットを紙幣処理装置の設置現場から持ち出すためには、前述の第１の鍵に加えて第２の鍵が必要となる。ここで、第２の鍵を持っているのは、営業時間外に紙幣収納カセット内に収納された紙幣の回収を行う現金回収担当者等である場合が多いため、通常は紙幣処理装置の設置現場には第１の鍵しかなく、紙幣収納カセットを紙幣処理ユニットから分離させることができない。このように、第１の鍵のみでは紙幣収納カセットを紙幣処理装置の設置現場から持ち去ることができないので、紙幣収納カセット自体の盗難を防止することができ、このためセキュリティ性を向上させることができる。
【００１１】
本発明の紙幣処理装置においては、前記第１の鍵により前記第１の施錠機構の開錠が行われたときに前記紙幣収納カセットが前記紙幣処理ユニットから所定量だけ例えば手前側に突出し、このことにより前記繰入機構に対する前記紙幣処理ユニット側からの駆動が切断されるようになっていることが好ましい。
【００１２】
本発明の紙幣処理装置においては、前記第２の施錠機構は前記紙幣収納カセットに設けられていることが好ましい。
【００１３】
この場合、前記紙幣収納カセットは、前記第２の施錠機構において前記第２の鍵が第１の方向に回されたときに前記紙幣処理ユニットから分離することができ、前記第２の鍵が前記第１の方向とは反対方向である第２の方向に回されたときにこの紙幣収納カセットが開いて当該紙幣収納カセットから紙幣を取り出すことができるよう構成されていることがより好ましい。このことにより、現金回収担当者等は、第２の施錠機構において第２の鍵の回転方向を選択するだけで、紙幣処理ユニットからの紙幣収納カセットの分離動作および紙幣収納カセットの開放動作の両方の動作を行うことができるようになる。
【００１４】
あるいは、前記紙幣収納カセットに設けられ、前記第１の鍵および前記第２の鍵とは異なる第３の鍵により開錠および閉錠が行われる第３の施錠機構を更に備え、前記紙幣収納カセットは、前記第３の鍵により前記第３の施錠機構の開錠が行われたときにこの紙幣収納カセットが開いて当該紙幣収納カセットから紙幣を取り出すことができるよう構成されていてもよい。このことにより、紙幣収納カセットに収納された紙幣をこの紙幣収納カセットから取り出すためには第１の鍵、第２の鍵および第３の鍵の３本の鍵が必要となるため、紙幣処理装置のセキュリティ性をより向上させることができる。
【００１５】
本発明の紙幣処理装置においては、前記第２の施錠機構は前記紙幣処理ユニットに設けられていてもよい。
【００１６】
この場合、前記紙幣収納カセットに設けられ、前記第１の鍵および前記第２の鍵とは異なる第３の鍵により開錠および閉錠が行われる第３の施錠機構を更に備え、前記紙幣収納カセットは、前記第３の鍵により前記第３の施錠機構の開錠が行われたときにこの紙幣収納カセットが開いて当該紙幣収納カセットから紙幣を取り出すことができるよう構成されていることが好ましい。このことにより、紙幣収納カセットに収納された紙幣をこの紙幣収納カセットから取り出すためには第１の鍵、第２の鍵および第３の鍵の３本の鍵が必要となるため、紙幣処理装置のセキュリティ性をより向上させることができる。
【発明の効果】
【００１７】
本発明の紙幣処理装置によれば、紙幣収納カセット自体の盗難を防止することができ、このためセキュリティ性を向上させることができる。
【発明を実施するための最良の形態】
【００１８】
以下、図面を参照して本発明の一の実施の形態について説明する。図１〜図７は、本実施の形態に係る紙幣処理装置を示す図である。このうち、図１は、本実施の形態における紙幣処理装置を硬貨処理装置と組み合わせたときの外観を示す斜視図であり、図２は、図１に示す紙幣処理装置の紙幣処理ユニットの水平断面図であり、図３Ａは、図１に示す紙幣処理装置において紙幣処理ユニットを筐体から引き出したときの状態を示す概略斜視図であり、図３Ｂは、図１に示す紙幣処理装置の正面図である。また、図４Ａ〜図４Ｃは、図１に示す紙幣処理装置において紙幣収納カセットが紙幣処理ユニットの内部に完全に収容されたときの状態を示す構成図であり、図５Ａ〜図５Ｃは、図１に示す紙幣処理装置において紙幣収納カセットが紙幣処理ユニットから手前側に所定量だけ突出したときの状態を示す構成図であり、図６Ａ〜図６Ｃは、図１に示す紙幣処理装置において紙幣収納カセットが図５Ａ〜図５Ｃに示す状態から更に引き出されたときの状態を示す構成図である。また、図７は、図１に示す紙幣処理装置の紙幣収納カセットを開くときの開錠動作を示す説明図である。
【００１９】
図１に示すように、本実施の形態による紙幣処理装置１０は、硬貨の処理を行う硬貨処理装置９０と組み合わされることにより貨幣処理システムとして用いられる。ここで、紙幣処理装置１０および硬貨処理装置９０は並列に配設されている。
【００２０】
紙幣処理装置１０は、略直方体形状の筐体１２と、この筐体１２から引き出し可能に設けられ、外部から紙幣が取り込まれる紙幣処理ユニット１１を備えている。図３Ａに示すように、紙幣処理ユニット１１は筐体１２から手前側に引き出し可能となっている。また、紙幣処理ユニット１１の内部には紙幣収納カセット３０が着脱自在に装填されており、この紙幣収納カセット３０は紙幣処理ユニット１１から送られた紙幣の収納を行うようになっている。紙幣処理ユニット１１の前面１３には、入金口１４および出金口１６がそれぞれ設けられている。また、紙幣処理ユニット１１の前面１３には、後述する紙幣収納カセット３０の前面パネル３２が露出している。
【００２１】
紙幣処理装置１０の紙幣処理ユニット１１の内部の構成の詳細について図２を用いて説明する。図２は、図１に示す紙幣処理装置１０の紙幣処理ユニット１１を上方から見たときの水平断面図である。図２に示すように、紙幣処理ユニット１１は、当該紙幣処理ユニット１１内の略中央部において軸線を図１の紙面に対して垂直にして配置された搬送ドラム２０と、この搬送ドラム２０を回転駆動するモータ２１とを備えている。また、紙幣処理ユニット１１内には、入金紙幣繰込部２２、金種別の紙幣収納部２３Ａ、２３Ｂ、２３Ｃ、出金紙幣放出部２４、出金リジェクト部２５および紙幣収納カセット３０が、搬送ドラム２０の外周を取り囲むようにして配置されている。このうち、入金紙幣繰込部２２、出金紙幣放出部２４、出金リジェクト部２５および紙幣収納カセット３０は紙幣処理ユニット１１の前面側（図２の下側）に配置され、各紙幣収納部２３Ａ、２３Ｂ、２３Ｃは紙幣処理ユニット１１の後面側（図２の上側）に配置されている。紙幣処理ユニット１１の前面１３に設けられた入金口１４から入金された紙幣は入金紙幣繰込部２２に送られるようになっている。また、出金紙幣放出部２４から出金口１６に紙幣が送られ、この紙幣が出金口１６から出金されるようになっている。
【００２２】
紙幣処理装置１０の内部の構成についてより詳細に説明すると、入金紙幣繰込部２２は、入金口１４に挿入された入金紙幣を導入して、それらの紙幣を搬送ドラム２０側に繰り出すようになっている。また、各紙幣収納部２３Ａ、２３Ｂ、２３Ｃは、入金紙幣を金種別に収納するようになっており、例えば、千円札は紙幣収納部２３Ａに収納され、２千円札および５千円札は混合状態で紙幣収納部２３Ｂに収納され、１万円札は紙幣収納部２３Ｃに収納されるようになっている。出金紙幣放出部２４は、各紙幣収納部２３Ａ、２３Ｂ、２３Ｃから繰り出された出金紙幣を放出し、それらの紙幣を出金口１６からの抜き取りに供するよう構成されている。
【００２３】
出金リジェクト部２５は、後述する識別センサ２８によって正常な紙幣ではないと識別されたリジェクト紙幣を収納するよう設けられている。また、紙幣収納カセット３０は、紙幣の回収時には、各紙幣収納部２３Ａ、２３Ｂ、２３Ｃに収納された紙幣が送られ、この送られた紙幣を収納するようになっている。後に詳述するように、紙幣収納カセット３０は紙幣処理ユニット１１に対して着脱自在に設けられている。なお、紙幣収納カセット３０は、出金に使用しない紙幣、またはいずれかの紙幣収納部２３Ａ、２３Ｂ、２３Ｃが満杯となっており対応する入金紙幣をこれらの紙幣収納部２３Ａ、２３Ｂ、２３Ｃに収納することができない場合にその入金紙幣を収納するためにも用いられるようになっている。
【００２４】
上述のような入金紙幣繰込部２２、金種別の紙幣収納部２３Ａ、２３Ｂ、２３Ｃ、出金紙幣放出部２４および出金リジェクト部２５の構成としては、周知ないし公知のものを用いることができるので、詳細な説明は省略する。
【００２５】
搬送ドラム２０の外周には、環状をなす紙幣の周回搬送路２６が形成されている。また、入金紙幣繰込部２２、金種別の紙幣収納部２３Ａ、２３Ｂ、２３Ｃ、出金紙幣放出部２４、出金リジェクト部２５および紙幣収納カセット３０と周回搬送路２６との間をそれぞれ接続する紙幣の接続搬送路２６ａ〜２６ｇが設けられている。また、搬送ドラム２０の外周面に対して弾性的に押圧される複数の押圧ローラ２７が、搬送ドラム２０の周方向に間隔をおいて配置されている。
【００２６】
周回搬送路２６の右側部分には、そこを通過する紙幣の金種等を識別するための識別センサ２８が設けられている。この識別センサ２８は、例えば光学センサとして構成され、互いに周回搬送路２６を挟んで対向配置される２つのセンサ部品を有している。
【００２７】
周回搬送路２６と各接続搬送路２６ａ〜２６ｇとの間で、紙幣の搬送経路を切り換える経路切換手段が周回搬送路２６に沿って配置されている。
【００２８】
接続搬送路２６ｅおよび２６ｆが接続される出金紙幣放出部２４および出金リジェクト部２５には、これらの出金紙幣放出部２４および出金リジェクト部２５への紙幣の集積を補助するためのゴム羽根車２９がそれぞれ設けられている。
【００２９】
紙幣収納カセット３０は、略直方体形状の筐体３１と、この筐体３１の前面に設けられた前面パネル３２とを有している。この前面パネル３２は、紙幣収納カセット３０を紙幣処理装置１０の紙幣処理ユニット１１内に完全に収容させたときにこの紙幣処理ユニット１１の前面１３の一部を構成するようになっている。また、紙幣収納カセット３０は、所定の角度まで全体が開くようになっており、この紙幣収納カセット３０が開いたときに内部にある紙幣を取り出すことができるようになっている。紙幣収納カセット３０は、後述する第２の施錠機構４４により通常は閉じられており、内部にある紙幣を取り出すことができないようになっている。すなわち、第２の施錠機構４４が閉錠しているときには、紙幣収納カセット３０は閉じた状態にあり、この紙幣収納カセット３０の内部にある紙幣を取り出すことができない。一方、第２の施錠機構４４を開錠したときには、紙幣収納カセット３０は所定の角度まで全体が開くことにより、この紙幣収納カセット３０の内部にある紙幣を取り出すことができるようになる。また、図２に示すように、紙幣収納カセット３０の後部には、当該紙幣収納カセット３０への紙幣の導入を補助するための紙幣繰入機構３４が設けられている。
【００３０】
紙幣繰入機構３４の構成の詳細について図１３Ａおよび図１３Ｂを用いて説明する。ここで、図１３Ａは、図２に示す紙幣処理装置１０における紙幣繰入機構３４の構成の詳細を示す構成図であって、紙幣収納カセット３０が紙幣処理ユニット１１に完全に収容されたときの状態を示す図である。また、図１３Ｂは、紙幣繰入機構３４の構成の詳細を示す構成図であって、紙幣収納カセット３０が紙幣処理ユニット１１から部分的に（図１３Ｂの矢印方向に）引き出されたときの状態を示す図である。
【００３１】
図１３Ａに示すように、紙幣繰入機構３４は、紙幣収納カセット３０に設けられた繰入ローラ３４ｂと、当該繰入ローラ３４ｂに設けられた紙幣収納カセット側ギア３４ａと、繰入ローラ３４ｂに巻き掛けられた搬送ベルト３４ｅとを備えている。また、繰入ローラ３４ｂには、搬送ベルト３４ｅを介して対向ローラ３４ｃが対向位置に設けられており、紙幣処理装置１０の接続搬送路２６ｇから送られた紙幣は繰入ローラ３４ｂと対向ローラ３４ｃとの間の部分を通過して紙幣収納カセット３０内に収納されるようになっている。
【００３２】
また、図１３Ａに示すように、紙幣処理装置１０の紙幣処理ユニット１１側には、紙幣処理ユニット側ギア３４ｄが設けられており、紙幣収納カセット３０が紙幣処理ユニット１１に完全に収容されたときの状態においては、紙幣処理ユニット側ギア３４ｄと紙幣収納カセット側ギア３４ａとが互いに噛み合うようになっている。そして、このような状態において、紙幣処理ユニット１１に設けられた図示しない駆動モータや手操作によって紙幣処理ユニット側ギア３４ｄが図１３Ａの矢印方向に回転させられることにより、紙幣収納カセット側ギア３４ａが回転させられ、繰入ローラ３４ｂも図１３Ａの矢印方向に回転させられる。このことにより、紙幣処理装置１０の接続搬送路２６ｇから送られた紙幣が紙幣繰入機構３４により紙幣収納カセット３０内に繰り入れられることとなる。
【００３３】
一方、図１３Ｂに示すように、紙幣収納カセット３０が紙幣処理ユニット１１から少しでも手前側（図１３Ｂの矢印方向）に引き出されたときには、紙幣処理ユニット側ギア３４ｄと紙幣収納カセット側ギア３４ａとは互いに噛み合わなくなる。このため、紙幣処理ユニット１１に設けられた図示しない駆動モータによって紙幣処理ユニット側ギア３４ｄが回転させられても、この回転力は紙幣収納カセット側ギア３４ａに伝達されない。このことにより、繰入ローラ３４ｂも回転しなくなるので、紙幣繰入機構３４が機能しなくなり、紙幣処理装置１０の接続搬送路２６ｇから送られた紙幣が紙幣収納カセット３０内に繰り入れられることはなくなる。
【００３４】
次に、紙幣処理装置１０の紙幣処理ユニット１１を前面から見たときの構成について図３Ｂを用いて説明する。図３Ｂに示すように、紙幣処理装置１０の紙幣処理ユニット１１の前面１３の下部には、鍵穴４０ａが設けられた第１の施錠機構４０が取り付けられている。この第１の施錠機構４０は、第１の鍵を鍵穴４０ａに入れて図３Ｂの矢印Ａの方向に回転させることにより開錠を行うことができるようになっている。また、第１の施錠機構４０は、開錠された状態で第１の鍵を鍵穴４０ａに入れて図３Ｂの矢印Ａの方向と逆方向に回転させて図３Ｂに示すような状態に戻すことにより閉錠を行うことができるようになっている。
【００３５】
また、図３Ｂに示すように、紙幣収納カセット３０の筐体３１の前面パネル３２には、鍵穴４４ａが設けられた第２の施錠機構４４が取り付けられている。この第２の施錠機構４４は、第１の鍵とは異なる第２の鍵を鍵穴４４ａに入れて図３Ｂの矢印Ｂまたは矢印Ｃの方向に回転させることにより開錠を行うことができるようになっている。また、第２の施錠機構４４は、開錠された状態で第２の鍵を鍵穴４４ａに入れて逆方向に回転させて図３Ｂに示すような状態に戻すことにより閉錠を行うことができるようになっている。
【００３６】
第１の施錠機構４０および第２の施錠機構４４の構成の詳細について図４Ａ〜図４Ｃを用いて説明する。ここで、図４Ａは、紙幣収納カセット３０が紙幣処理ユニット１１の内部に完全に収容されたときの状態を正面から見た（すなわち、図１の矢印Ａの方向から見た）部分正面図であり、図４Ｂは、紙幣収納カセット３０が紙幣処理ユニット１１の内部に完全に収容されたときの状態を示す、図１の矢印Ｂの方向から見た水平断面図であり、図４Ｃは、紙幣収納カセット３０が紙幣処理ユニット１１の内部に完全に収容されたときの状態を示す、図１の矢印Ｃの方向から見た縦断面図である。
【００３７】
図４Ａに示すように、第１の施錠機構４０は、図４Ａの紙面に対して垂直方向に延びる略円柱形状の本体部分４０ｂに鍵穴４０ａが設けられた構成となっている。また、この第１の施錠機構４０の近傍には、当該第１の施錠機構４０の本体部分４０ｂの回転と同期して軸４２ａを中心として回転するカム部材４２が設けられている。図４Ａおよび図４Ｃに示すように、紙幣収納カセット３０の筐体３１の底面３３には凹部３３ａが形成されている。そして、カム部材４２にはアーム部分４２ｂが設けられており、このアーム部分４２ｂは紙幣収納カセット３０の筐体３１の底面３３に設けられた凹部３３ａに進入することができるようになっている。
【００３８】
図４Ａに示すように、第２の施錠機構４４は、図４Ａの紙面に対して垂直方向に延びる略円柱形状の本体部分４４ｂに鍵穴４４ａが設けられた構成となっている。また、図４Ａおよび図４Ｂに示すように、紙幣収納カセット３０を正面側から見た当該紙幣収納カセット３０の筐体３１の左側面３７に対応する紙幣処理ユニット１１の内壁部分１５には凹部１５ａが形成されている。そして、第２の施錠機構４４にはアーム部分４４ｃが設けられており、このアーム部分４４ｃは紙幣処理ユニット１１の内壁部分１５に設けられた凹部１５ａに進入することができるようになっている。
【００３９】
また、図４Ｂおよび図４Ｃに示すように、紙幣収納カセット３０の筐体３１の背面３５にはバネ部材３６が設けられており、このバネ部材３６は、紙幣収納カセット３０の筐体３１の背面３５に対応する紙幣処理ユニット１１の内壁部分１７に接続されている。すなわち、紙幣収納カセット３０には、バネ部材３６の反発力によって、紙幣処理ユニット１１から前面１３側に押しだそうとする力が常に加えられるようになっている。
【００４０】
次に、紙幣収納カセット３０を紙幣処理装置１０から取り出す動作について図４〜図７を用いて以下に説明する。
【００４１】
まず、紙幣収納カセット３０が紙幣処理ユニット１１の内部に完全に収容されたときの状態について図４Ａ〜図４Ｃを用いて説明する。図４Ａおよび図４Ｃに示すように、第１の施錠機構４０および第２の施錠機構４４がそれぞれ閉錠されているときには、第１の施錠機構４０に設けられたアーム部分４２ｂが紙幣収納カセット３０の筐体３１の底面３３に設けられた凹部３３ａ内に進入している。このため、紙幣収納カセット３０を紙幣処理ユニット１１から手前側に引き出すことができないようになっている（図４Ｃ参照）。また、この際に、第２の施錠機構４４に設けられたアーム部分４４ｃも紙幣処理ユニット１１の内壁部分１５に設けられた凹部１５ａ内に進入している。この際に、アーム部分４４ｃは、内壁部分１５に設けられた凹部１５ａにおける背面側（図４Ｂ、４Ｃの右側）に位置している。
【００４２】
図４Ａ〜図４Ｃに示すような状態で、第１の鍵を第１の施錠機構４０の鍵穴４０ａに入れて図３Ｂの矢印Ａの方向に回転させると、紙幣処理ユニット１１を筐体１２から引き出すことができる状態となる。すなわち、第１の施錠機構４０の開錠が行われると、図３Ａに示すようにオペレータは紙幣処理ユニット１１を筐体１２から手前側に引き出すことができるようになる。また、第１の施錠機構４０の開錠が行われると、紙幣収納カセット３０が紙幣処理ユニット１１から手前側に所定量だけ突出する。図５Ａは、紙幣収納カセット３０が紙幣処理ユニット１１から手前側に所定量だけ突出したときの状態を正面から見た部分正面図であり、図５Ｂは、紙幣収納カセット３０が紙幣処理ユニット１１から手前側に所定量だけ突出したときの状態を示す水平断面図であり、図５Ｃは、紙幣収納カセット３０が紙幣処理ユニット１１から手前側に所定量だけ突出したときの状態を示す縦断面図である。
【００４３】
より具体的に説明すると、第１の鍵を第１の施錠機構４０の鍵穴４０ａに入れて図５Ａの矢印Ａの方向に回転させると、第１の施錠機構４０の本体部分４０ｂが図５Ａの矢印Ａの方向に回転し、この回転と同期してカム部材４２が軸４２ａを中心として図５Ａの矢印Ａ１の方向に回転する。そうすると、カム部材４２に設けられたアーム部分４２ｂも軸４２ａを中心として回転し、このアーム部分４２ｂが紙幣収納カセット３０の筐体３１の底面３３に設けられた凹部３３ａから退出する。このことにより、紙幣収納カセット３０がバネ部材３６により手前側に押され、図５Ｂおよび図５Ｃに示すように紙幣収納カセット３０は紙幣処理ユニット１１から手前側に所定量だけ突出することとなる。図４Ｂおよび図５Ｂからわかるように、この所定量は、凹部１５ａの奥行き方向長さ（図５Ｂの左右方向長さ）と略同一となっている。前述のように、紙幣収納カセット３０が紙幣処理ユニット１１から手前側に所定量だけ突出すると、紙幣繰入機構３４に対する紙幣処理ユニット１１側からの駆動が切断される。
【００４４】
しかしながら、第１の施錠機構４０が第１の鍵により開錠された場合であっても、第２の施錠機構４４に設けられたアーム部分４４ｃは依然として紙幣処理ユニット１１の内壁部分１５に設けられた凹部１５ａ内に進入したままの状態となっている。このため、図５Ｂに示すように、紙幣収納カセット３０を紙幣処理ユニット１１から更に手前側に引き出そうとする際に、このアーム部分４４ｃが紙幣処理ユニット１１の内壁部分１５に設けられた凹部１５ａに引っ掛かり、紙幣収納カセット３０を紙幣処理ユニット１１から完全に引き出すことはできない。
【００４５】
次に、第１の施錠機構４０が開錠された状態で第２の鍵により第２の施錠機構４４の開錠が行われると、紙幣収納カセット３０を紙幣処理ユニット１１から分離することができるようになる。このような状態について図６Ａ〜図６Ｃを用いて説明する。図６Ａは、第２の施錠機構４４の開錠が行われることにより紙幣収納カセット３０が図５Ａ〜図５Ｃに示す状態から更に引き出されたときの状態を正面から見た部分正面図であり、図６Ｂは、紙幣収納カセット３０が図５Ａ〜図５Ｃに示す状態から更に引き出されたときの状態を示す水平断面図であり、図６Ｃは、紙幣収納カセット３０が図５Ａ〜図５Ｃに示す状態から更に引き出されたときの状態を示す縦断面図である。
【００４６】
より具体的に説明すると、図５Ａ〜図５Ｃに示すような状態で、第２の鍵を第２の施錠機構４４の鍵穴４４ａに入れて図３Ｂの矢印Ｂの方向に回転させると、第２の施錠機構４４の本体部分４４ｂが図６Ａの矢印Ｂの方向に回転する。そうすると、第２の施錠機構４４に設けられたアーム部分４４ｃも図６Ａの矢印Ｂの方向に回転し、このアーム部分４４ｃが紙幣処理ユニット１１の内壁部分１５に設けられた凹部１５ａから退出する。このことにより、紙幣収納カセット３０がバネ部材３６により更に手前側に押され、図６Ｂおよび図６Ｃに示すように紙幣収納カセット３０は紙幣処理ユニット１１から更に手前側に引き出すことができる。図６Ａ〜図６Ｃに示すような状態において、アーム部分４２ｂおよびアーム部分４４ｃはそれぞれ対応する凹部３３ａ、１５ａから退出しているので、現金回収担当者等の操作者は紙幣収納カセット３０を紙幣処理ユニット１１から更に手前側に引き出すことができ、この紙幣収納カセット３０を紙幣処理装置１０から分離させることができる。
【００４７】
紙幣処理装置１０から分離された紙幣収納カセット３０は、第２の鍵を第２の施錠機構４４の鍵穴４４ａに入れて図３Ｂの矢印Ｃの方向に回転させることにより、この紙幣収納カセット３０が開いて当該紙幣収納カセット３０内にある紙幣を取り出すことができるよう構成されている。図７は、紙幣収納カセット３０を開くときの開錠動作を示す説明図である。
【００４８】
より具体的に説明すると、紙幣収納カセット３０を紙幣処理ユニット１１から分離させた後、図７に示すように、第２の鍵を第２の施錠機構４４の鍵穴４４ａに入れて図７の矢印Ｃの方向に回転させると、紙幣収納カセット３０が開いて現金回収担当者等の操作者はこの紙幣収納カセット３０の内部にアクセス可能となる。このことにより、操作者は紙幣収納カセット３０内にある紙幣を取り出すことができるようになる。ここで、第２の施錠機構４４において、紙幣収納カセット３０を開く際の第２の鍵の回転方向（図７の矢印Ｃ）は、紙幣収納カセット３０を紙幣処理ユニット１１から分離させる際の第２の鍵の回転方向（図６Ａの矢印Ｂ）と逆方向になっている。
【００４９】
以上のように、本実施の形態の紙幣処理装置１０によれば、第１の鍵により第１の施錠機構４０の開錠が行われたときに紙幣処理ユニット１１が筐体１２から引き出すことができる状態になるとともに紙幣繰入機構３４に対する紙幣処理ユニット１１側からの駆動が切断され、第１の施錠機構４０が開錠された状態で第１の鍵とは異なる第２の鍵により第２の施錠機構４４の開錠が行われたときにおいてのみ紙幣収納カセット３０を紙幣処理ユニット１１から分離することができるようになっている。このため、紙幣処理ユニット１１内で紙幣のジャム等のトラブルが生じた際には、現場のオペレータは第１の鍵により紙幣処理ユニット１１を筐体１２から手前側に引き出すことにより紙幣処理ユニット１１の内部の確認を行うことができるようになる。また、紙幣繰入機構３４に対する紙幣処理ユニット１１側からの駆動が切断されることにより紙幣収納カセット３０に紙幣が収納されることを抑止することができるようになる。一方、紙幣収納カセット３０を紙幣処理装置１０の設置現場から持ち出すためには、前述の第１の鍵に加えて第２の鍵が必要となる。ここで、第２の鍵を持っているのは、営業時間外に紙幣収納カセット３０内に収納された紙幣の回収を行う現金回収担当者等である場合が多いため、通常は紙幣処理装置１０の設置現場には第１の鍵しかなく、紙幣収納カセット３０を紙幣処理ユニット１１から分離させることができない。このように、第１の鍵のみでは紙幣収納カセット３０を紙幣処理装置１０の設置現場から持ち去ることができないので、紙幣収納カセット３０自体の盗難を防止することができ、このためセキュリティ性を向上させることができる。
【００５０】
また、第２の施錠機構４４は紙幣収納カセット３０に設けられており、この紙幣収納カセット３０は、第２の施錠機構４４において第２の鍵が第１の方向に回されたときに紙幣処理装置１０の紙幣処理ユニット１１から分離することができ、第２の鍵が第１の方向とは反対方向である第２の方向に回されたときに紙幣収納カセット３０が開いてこの紙幣収納カセット３０から紙幣を取り出すことができるよう構成されている。このため、現金回収担当者等は、第２の施錠機構４４において第２の鍵の回転方向を選択するだけで、紙幣処理装置１０の紙幣処理ユニット１１からの紙幣収納カセット３０の分離動作および紙幣収納カセット３０の開放動作の両方の動作を行うことができるようになる。
【００５１】
なお、本発明による紙幣処理装置１０は、上記の態様に限定されるものではなく、様々の変更を加えることができる。
【００５２】
例えば、第１の施錠機構４０および第２の施錠機構４４に加えて、図８に示すように第３の施錠機構４８が紙幣収納カセット３０に設けられていてもよい。この場合、第３の施錠機構４８は、第１の鍵および第２の鍵とは異なる第３の鍵により開錠および閉錠が行われるようになっている。また、この場合には、第２の施錠機構４４は、鍵穴４４ａに入れられた第２の鍵を図３Ｂの矢印Ｂに示す方向のみに回転させることができるようになっている。
【００５３】
図８に示すような３つの施錠機構４０、４４、４８が設けられた紙幣処理装置１０ａにおいては、第１の施錠機構４０が開錠された状態で第２の鍵が第２の施錠機構４４の鍵穴４４ａに入れられて図８の矢印Ｂの方向に回転させられると、前述のように紙幣収納カセット３０を紙幣処理装置１０ａの紙幣処理ユニット１１から分離することができるようになる。そして、紙幣収納カセット３０を紙幣処理ユニット１１から分離させた後、第３の鍵を第３の施錠機構４８の鍵穴４８ａに入れて図８の矢印Ｃの方向に回転させると、紙幣収納カセット３０が開いて現金回収担当者等の操作者は紙幣収納カセット３０の内部にアクセス可能となる。このことにより、操作者は紙幣収納カセット３０内にある紙幣を取り出すことができるようになる。
【００５４】
このように、第３の施錠機構４８が紙幣収納カセット３０に設けられている場合には、紙幣収納カセット３０に収納された紙幣をこの紙幣収納カセット３０から取り出すためには第１の鍵、第２の鍵および第３の鍵の３本の鍵が必要となるため、紙幣処理装置１０ａのセキュリティ性をより向上させることができる。
【００５５】
本発明による紙幣処理装置の更なる変形例について図９〜図１２を用いて説明する。図９は、この変形例による紙幣処理装置１０ｂの正面図である。また、図１０Ａ〜図１０Ｃは、図９に示す紙幣処理装置１０ｂにおいて紙幣収納カセット３０が紙幣処理ユニット１１の内部に完全に収容されたときの状態を示す構成図であり、図１１Ａ〜図１１Ｃは、図９に示す紙幣処理装置１０ｂにおいて紙幣収納カセット３０が紙幣処理ユニット１１から手前側に所定量だけ突出したときの状態を示す構成図であり、図１２Ａ〜図１２Ｃは、図９に示す紙幣処理装置１０ｂにおいて紙幣収納カセット３０が図１１Ａ〜図１１Ｃに示す状態から更に引き出されたときの状態を示す構成図である。
【００５６】
図９〜図１２に示す紙幣処理装置１０ｂの説明において、図１〜図７に示す紙幣処理装置１０、および図８に示す紙幣処理装置１０ａと同一の構成については同一の参照符号を付してその説明を省略する。
【００５７】
本変形例に係る紙幣処理装置１０ｂを前面から見たときの構成について図９を用いて説明する。図９に示すように、紙幣処理装置１０ｂの紙幣処理ユニット１１の前面１３の下部には、紙幣処理ユニット１１を筐体１２から引き出すことができる状態とするための第１の施錠機構４０が取り付けられている。しかしながら、紙幣収納カセット３０の筐体３１の前面パネル３２には、紙幣収納カセット３０を紙幣処理ユニット１１から分離することができるようにするための第２の施錠機構４４は取り付けられていない。代わりに、紙幣収納カセット３０の筐体３１の前面パネル３２には、この紙幣収納カセット３０が開いて当該紙幣収納カセット３０から紙幣を取り出すことができるようにするための第３の施錠機構４８が取り付けられている。この第３の施錠機構４８は、図８に示す第３の施錠機構４８と略同一の機能を有している。
【００５８】
図１０Ｂに示すように、本変形例においては、紙幣収納カセット３０を紙幣処理ユニット１１から分離することができるようにするための第２の施錠機構４６は、紙幣収納カセット３０ではなく紙幣処理ユニット１１に設けられている。より具体的には、紙幣収納カセット３０を正面側から見た当該紙幣収納カセット３０の筐体３１の右側面３８に対応する紙幣処理ユニット１１の内壁部分１８の内部に第２の施錠機構４６が設けられている。この第２の施錠機構４６は、紙幣処理装置１０ｂの高さ方向（図１０Ｂの紙面に対して垂直方向）に延びる略円柱形状の本体部分４６ｂに鍵穴４６ａが設けられた構成となっている。また、図１０Ｂに示すように、紙幣収納カセット３０を正面側から見た当該紙幣収納カセット３０の筐体３１の右側面３８には凹部３８ａが形成されている。そして、第２の施錠機構４６にはアーム部分４６ｃが設けられており、このアーム部分４６ｃは紙幣収納カセット３０の筐体３１の右側面３８に設けられた凹部３８ａに進入することができるようになっている。なお、図１０Ａおよび図１０Ｂに示すように、紙幣収納カセット３０を正面側から見た当該紙幣収納カセット３０の筐体３１の左側面３７に対応する紙幣処理ユニット１１の内壁部分１５には凹部は形成されていない。
【００５９】
次に、紙幣収納カセット３０を紙幣処理装置１０ｂから取り出す動作について図１０〜図１２を用いて以下に説明する。
【００６０】
まず、紙幣収納カセット３０が紙幣処理ユニット１１の内部に完全に収容されたときの状態について図１０Ａ〜図１０Ｃを用いて説明する。図１０Ａ〜図１０Ｃに示すように、第１の施錠機構４０および第２の施錠機構４６がそれぞれ閉錠されているときには、第１の施錠機構４０に設けられたアーム部分４２ｂが紙幣収納カセット３０の筐体３１の底面３３に設けられた凹部３３ａ内に進入している。このため、紙幣収納カセット３０を紙幣処理装置１０ｂから手前側に引き出すことができないようになっている（図１０Ｃ参照）。また、この際に、第２の施錠機構４６に設けられたアーム部分４６ｃも紙幣収納カセット３０の筐体３１の右側面３８に設けられた凹部３８ａ内に進入している。この際に、アーム部分４６ｃは、筐体３１の右側面３８に設けられた凹部３８ａにおける前面側（図１０Ｂ、１０Ｃの左側）に位置している。
【００６１】
図１０Ａ〜図１０Ｃに示すような状態で、第１の鍵を第１の施錠機構４０の鍵穴４０ａに入れて図９の矢印Ａの方向に回転させると、紙幣処理ユニット１１を筐体１２から引き出すことができる状態となる。すなわち、第１の施錠機構４０の開錠が行われると、図３Ａに示すようにオペレータは紙幣処理ユニット１１を筐体１２から手前側に引き出すことができるようになる。また、第１の施錠機構４０の開錠が行われると、紙幣収納カセット３０が紙幣処理ユニット１１から手前側に所定量だけ突出する。図１１Ａは、紙幣収納カセット３０が紙幣処理ユニット１１から手前側に所定量だけ突出したときの状態を正面から見た部分正面図であり、図１１Ｂは、紙幣収納カセット３０が紙幣処理ユニット１１から手前側に所定量だけ突出したときの状態を示す水平断面図であり、図１１Ｃは、紙幣収納カセット３０が紙幣処理ユニット１１から手前側に所定量だけ突出したときの状態を示す縦断面図である。
【００６２】
より具体的に説明すると、第１の鍵を第１の施錠機構４０の鍵穴４０ａに入れて図１１Ａの矢印Ａの方向に回転させると、第１の施錠機構４０の本体部分４０ｂが図１１Ａの矢印Ａの方向に回転し、この回転と同期してカム部材４２が軸４２ａを中心として図１１Ａの矢印Ａ１の方向に回転する。そうすると、カム部材４２に設けられたアーム部分４２ｂも軸４２ａを中心として回転し、このアーム部分４２ｂが紙幣収納カセット３０の筐体３１の底面３３に設けられた凹部３３ａから退出する。このことにより、紙幣収納カセット３０がバネ部材３６により手前側に押され、図１１Ｂおよび図１１Ｃに示すように紙幣収納カセット３０は紙幣処理ユニット１１から手前側に所定量だけ突出することとなる。図１０Ｂおよび図１１Ｂからわかるように、この所定量は、凹部３８ａの奥行き方向長さ（図１１Ｂの左右方向長さ）と略同一となっている。前述のように、紙幣収納カセット３０が紙幣処理ユニット１１から手前側に所定量だけ突出すると、紙幣繰入機構３４に対する紙幣処理ユニット１１側からの駆動が切断される。
【００６３】
しかしながら、第１の施錠機構４０が第１の鍵により開錠された場合であっても、第２の施錠機構４６に設けられたアーム部分４６ｃは依然として紙幣収納カセット３０の筐体３１の右側面３８に設けられた凹部３８ａ内に進入したままの状態となっている。このため、図１１Ｂに示すように、紙幣収納カセット３０を紙幣処理ユニット１１から更に手前側に引き出そうとする際に、このアーム部分４６ｃが紙幣収納カセット３０の筐体３１の右側面３８に設けられた凹部３８ａに引っ掛かり、紙幣収納カセット３０を紙幣処理ユニット１１から完全に引き出すことはできない。
【００６４】
次に、第１の施錠機構４０が開錠された状態で第２の鍵により第２の施錠機構４６の開錠が行われると、紙幣収納カセット３０を紙幣処理ユニット１１から分離することができるようになる。このような状態について図１２Ａ〜図１２Ｃを用いて説明する。図１２Ａは、第２の施錠機構４６の開錠が行われることにより紙幣収納カセット３０が図１１Ａ〜図１１Ｃに示す状態から更に引き出されたときの状態を正面から見た部分正面図であり、図１２Ｂは、紙幣収納カセット３０が図１１Ａ〜図１１Ｃに示す状態から更に引き出されたときの状態を示す水平断面図であり、図１２Ｃは、紙幣収納カセット３０が図１１Ａ〜図１１Ｃに示す状態から更に引き出されたときの状態を示す縦断面図である。
【００６５】
より具体的に説明すると、図１１Ａ〜図１１Ｃに示すような状態で、第２の鍵を第２の施錠機構４６の鍵穴４６ａに入れて図１２の矢印Ｂの方向に回転させると、第２の施錠機構４６の本体部分４６ｂが図１２Ｂの矢印Ｂの方向に回転する。そうすると、第２の施錠機構４６に設けられたアーム部分４６ｃも図１２Ｂの矢印Ｂの方向に回転し、このアーム部分４６ｃが紙幣収納カセット３０の筐体３１の右側面３８に設けられた凹部３８ａから退出する。このことにより、紙幣収納カセット３０がバネ部材３６により更に手前側に押され、図１２Ｂおよび図１２Ｃに示すように紙幣収納カセット３０は紙幣処理ユニット１１から更に手前側に引き出すことができる。図１２Ａ〜図１２Ｃに示すような状態において、アーム部分４２ｂおよびアーム部分４６ｃはそれぞれ対応する凹部３３ａ、３８ａから退出しているので、現金回収担当者等の操作者は紙幣収納カセット３０を紙幣処理ユニット１１から更に手前側に引き出すことができ、この紙幣収納カセット３０を紙幣処理ユニット１１から分離させることができる。
【００６６】
紙幣収納カセット３０を紙幣処理ユニット１１から分離させた後、第３の鍵を第３の施錠機構４８の鍵穴４８ａに入れて図９の矢印Ｃの方向に回転させると、紙幣収納カセット３０が開いて現金回収担当者等の操作者は紙幣収納カセット３０の内部にアクセス可能となる。このことにより、操作者は紙幣収納カセット３０内にある紙幣を取り出すことができるようになる。
【００６７】
以上のように、図９〜図１２に示すような紙幣処理装置１０ｂにおいては、図１〜図７に示すような紙幣処理装置１０と同様に、第１の鍵により第１の施錠機構４０の開錠が行われたときに紙幣処理ユニット１１が筐体１２から引き出すことができる状態になるとともに紙幣繰入機構３４に対する紙幣処理ユニット１１側からの駆動が切断され、第１の施錠機構４０が開錠された状態で第１の鍵とは異なる第２の鍵により第２の施錠機構４６の開錠が行われたときにおいてのみ紙幣収納カセット３０を紙幣処理ユニット１１から分離することができるようになっている。このため、紙幣処理ユニット１１内で紙幣のジャム等のトラブルが生じた際には、現場のオペレータは第１の鍵により紙幣処理ユニット１１を筐体１２から手前側に引き出すことにより紙幣処理ユニット１１の内部の確認を行うことができるようになる。また、紙幣繰入機構３４に対する紙幣処理ユニット１１側からの駆動が切断されることにより紙幣収納カセット３０に紙幣が収納されることを抑止することができるようになる。一方、紙幣収納カセット３０を紙幣処理装置１０ｂの設置現場から持ち出すためには、前述の第１の鍵に加えて第２の鍵が必要となる。ここで、第２の鍵を持っているのは、営業時間外に紙幣収納カセット３０内に収納された紙幣の回収を行う現金回収担当者等である場合が多いため、通常は紙幣処理装置１０ｂの設置現場には第１の鍵しかなく、紙幣収納カセット３０を紙幣処理ユニット１１から分離させることができない。このように、第１の鍵のみでは紙幣収納カセット３０を紙幣処理装置１０ｂの設置現場から持ち去ることができないので、紙幣収納カセット３０自体の盗難を防止することができ、このためセキュリティ性を向上させることができる。
【００６８】
また、第２の施錠機構４６は紙幣処理ユニット１１に設けられており、第３の施錠機構４８が紙幣収納カセット３０に設けられているので、紙幣収納カセット３０に収納された紙幣をこの紙幣収納カセット３０から取り出すためには第１の鍵、第２の鍵および第３の鍵の３本の鍵が必要となり、紙幣処理装置１０ｂのセキュリティ性をより向上させることができる。
【図面の簡単な説明】
【００６９】
【図１】本発明の一の実施の形態における紙幣処理装置を硬貨処理装置と組み合わせたときの外観を示す斜視図である。
【図２】図１に示す紙幣処理装置の水平断面図である。
【図３Ａ】図１に示す紙幣処理装置において紙幣処理ユニットを筐体から引き出したときの状態を示す概略斜視図である。
【図３Ｂ】図１に示す紙幣処理装置の正面図である。
【図４Ａ】図１に示す紙幣処理装置において紙幣収納カセットが紙幣処理ユニットの内部に完全に収容されたときの状態を正面から見た部分正面図である。
【図４Ｂ】図１に示す紙幣処理装置において紙幣収納カセットが紙幣処理ユニットの内部に完全に収容されたときの状態を示す水平断面図である。
【図４Ｃ】図１に示す紙幣処理装置において紙幣収納カセットが紙幣処理ユニットの内部に完全に収容されたときの状態を示す縦断面図である。
【図５Ａ】図１に示す紙幣処理装置において紙幣収納カセットが紙幣処理ユニットから手前側に所定量だけ突出したときの状態を正面から見た部分正面図である。
【図５Ｂ】図１に示す紙幣処理装置において紙幣収納カセットが紙幣処理ユニットから手前側に所定量だけ突出したときの状態を示す水平断面図である。
【図５Ｃ】図１に示す紙幣処理装置において紙幣収納カセットが紙幣処理ユニットから手前側に所定量だけ突出したときの状態を示す縦断面図である。
【図６Ａ】図１に示す紙幣処理装置において紙幣収納カセットが図５Ａ〜図５Ｃに示す状態から更に引き出されたときの状態を正面から見た部分正面図である。
【図６Ｂ】図１に示す紙幣処理装置において紙幣収納カセットが図５Ａ〜図５Ｃに示す状態から更に引き出されたときの状態を示す水平断面図である。
【図６Ｃ】図１に示す紙幣処理装置において紙幣収納カセットが図５Ａ〜図５Ｃに示す状態から更に引き出されたときの状態を示す縦断面図である。
【図７】図１に示す紙幣処理装置の紙幣収納カセットを開くときの開錠動作を示す説明図である。
【図８】本発明における他の紙幣処理装置の正面図である。
【図９】本発明における更に他の紙幣処理装置の正面図である。
【図１０Ａ】図９に示す紙幣処理装置において紙幣収納カセットが紙幣処理ユニットの内部に完全に収容されたときの状態を正面から見た部分正面図である。
【図１０Ｂ】図９に示す紙幣処理装置において紙幣収納カセットが紙幣処理ユニットの内部に完全に収容されたときの状態を示す水平断面図である。
【図１０Ｃ】図９に示す紙幣処理装置において紙幣収納カセットが紙幣処理ユニットの内部に完全に収容されたときの状態を示す縦断面図である。
【図１１Ａ】図９に示す紙幣処理装置において紙幣収納カセットが紙幣処理ユニットから手前側に所定量だけ突出したときの状態を正面から見た部分正面図である。
【図１１Ｂ】図９に示す紙幣処理装置において紙幣収納カセットが紙幣処理ユニットから手前側に所定量だけ突出したときの状態を示す水平断面図である。
【図１１Ｃ】図９に示す紙幣処理装置において紙幣収納カセットが紙幣処理ユニットから手前側に所定量だけ突出したときの状態を示す縦断面図である。
【図１２Ａ】図９に示す紙幣処理装置において紙幣収納カセットが図１１Ａ〜図１１Ｃに示す状態から更に引き出されたときの状態を正面から見た部分正面図である。
【図１２Ｂ】図９に示す紙幣処理装置において紙幣収納カセットが図１１Ａ〜図１１Ｃに示す状態から更に引き出されたときの状態を示す水平断面図である。
【図１２Ｃ】図９に示す紙幣処理装置において紙幣収納カセットが図１１Ａ〜図１１Ｃに示す状態から更に引き出されたときの状態を示す縦断面図である。
【図１３Ａ】図２に示す紙幣処理装置における紙幣繰入機構の構成の詳細を示す構成図であって、紙幣収納カセットが紙幣処理ユニットに完全に収容されたときの状態を示す図である。
【図１３Ｂ】図２に示す紙幣処理装置における紙幣繰入機構の構成の詳細を示す構成図であって、紙幣収納カセットが紙幣処理ユニットから部分的に引き出されたときの状態を示す図である。
【符号の説明】
【００７０】
１０、１０ａ、１０ｂ    紙幣処理装置
１１    紙幣処理ユニット
１２    筐体
１３    前面
１４    入金口
１５    内壁部分
１５ａ  凹部
１６    出金口
１７    内壁部分
１８    内壁部分
２０    搬送ドラム
２１    モータ
２２    入金紙幣繰込部
２３Ａ、２３Ｂ、２３Ｃ  紙幣収納部
２４    出金紙幣放出部
２５    出金リジェクト部
２６    周回搬送路
２６ａ〜２６ｇ  接続搬送路
２７    押圧ローラ
２８    識別センサ
２９    ゴム羽根車
３０    紙幣収納カセット
３１    筐体
３２    前面パネル
３３    底面
３３ａ  凹部
３４    紙幣繰入機構
３４ａ  紙幣収納カセット側ギア
３４ｂ  繰入ローラ
３４ｃ  対向ローラ
３４ｄ  紙幣処理ユニット側ギア
３４ｅ  搬送ベルト
３５    背面
３６    バネ部材
３７    左側面
３８    右側面
３８ａ  凹部
４０    第１の施錠機構
４０ａ  鍵穴
４０ｂ  本体部分
４２    カム部材
４２ａ  軸
４２ｂ  アーム部分
４４    第２の施錠機構
４４ａ  鍵穴
４４ｂ  本体部分
４４ｃ  アーム部分
４６    第２の施錠機構
４６ａ  鍵穴
４６ｂ  本体部分
４６ｃ  アーム部分
４８    第３の施錠機構
４８ａ  鍵穴
９０    硬貨処理装置
【図１】
2010020382.tif 000003
【図２】
2010020382.tif 000004
【図３Ａ】
2010020382.tif 000005
【図３Ｂ】
2010020382.tif 000006
【図４Ａ】
2010020382.tif 000007
【図４Ｂ】
2010020382.tif 000008
【図４Ｃ】
2010020382.tif 000009
【図５Ａ】
2010020382.tif 000010
【図５Ｂ】
2010020382.tif 000011
【図５Ｃ】
2010020382.tif 000012
【図６Ａ】
2010020382.tif 000013
【図６Ｂ】
2010020382.tif 000014
【図６Ｃ】
2010020382.tif 000015
【図７】
2010020382.tif 000016
【図８】
2010020382.tif 000017
【図９】
2010020382.tif 000018
【図１０Ａ】
2010020382.tif 000019
【図１０Ｂ】
2010020382.tif 000020
【図１０Ｃ】
2010020382.tif 000021
【図１１Ａ】
2010020382.tif 000022
【図１１Ｂ】
2010020382.tif 000023
【図１１Ｃ】
2010020382.tif 000024
【図１２Ａ】
2010020382.tif 000025
【図１２Ｂ】
2010020382.tif 000026
【図１２Ｃ】
2010020382.tif 000027
【図１３Ａ】
2010020382.tif 000028
【図１３Ｂ】
2010020382.tif 000029